(57)【要約】【課題】瞬断により一時的に電圧が低下した場合に初期化動作を行わない。【解決手段】電気機器１は、交流電源１０１と接続して電力を供給する主電源１１４と、主電源１１４からの電力で動作する動作部（画像形成部２０等）と、交流電源１０１と接続する補助電源１１２から電力が供給される第１の制御部１０３と、第１の制御部１０３によって制御されて、補助電源１１２からの電力を第２の制御部１０４に供給する第１の供給制御手段１０６と、第２の制御部１０４によって制御されて、主電源１１４と動作部とを接続する電力供給ラインを切断する第２の供給制御手段１１３と、主電源１１４の電圧低下を検出したことを、第１の制御部１０３に通知する検出部１１８とを備え、検出部１１８が主電源１１４の電圧低下を検出したときに、第１の制御部１０３は、第１の供給制御手段１０６を制御して、補助電源１１２から第２の制御部１０４への電力供給を停止させる。【選択図】図３
2015011220.tif 000002
【特許請求の範囲】
【請求項１】
商用電源と接続して電力を供給する主電源と、前記主電源からの電力で動作する動作部とを備える電気機器であって、
前記商用電源と接続する補助電源から、電力が供給される第１の制御部と、
前記第１の制御部によって制御されて、前記補助電源からの電力を第２の制御部に供給する第１の供給制御手段と、
前記第２の制御部によって制御されて、前記主電源と前記動作部とを接続する電力供給ラインを切断する第２の供給制御手段と、
前記主電源の電圧低下を検出したことを、前記第１の制御部に通知する検出部とを備え、
前記検出部が前記主電源の電圧低下を検出したときに、前記第１の制御部は、前記第１の供給制御手段を制御して、前記補助電源から前記第２の制御部への電力供給を停止させることを特徴とする電気機器。
【請求項２】
前記第２の制御部は、
前記動作部が動作可能な通常モード、または、消費電力を抑えて前記動作部が待機する省電力モードで稼働するよう、前記第２の供給制御手段を制御し、
前記通常モードから前記省電力モードに切り替えるときに、前記第２の供給制御手段を制御して前記電力供給ラインを切断させ、一方、前記省電力モードから前記通常モードに切り替えるときに、前記第２の供給制御手段を制御して前記電力供給ラインを接続させることを特徴とする請求項１に記載された電気機器。
【請求項３】
ユーザの操作により状態がオン状態またはオフ状態となり、当該状態を前記第１の制御部に通知するスイッチ手段を備え、
前記第１の制御部は、通知された前記状態に応じて、前記第１の供給制御手段を制御することを特徴とする請求項１に記載された電気機器。
【請求項４】
前記第１の制御部は、
前記検出部が前記主電源の電圧低下を検出したときに、前記動作部に所定の動作を実行させないような指示をし、および、前記第１の供給制御手段を制御して、前記補助電源から前記第２の制御部への電力供給の停止をさせた後、
前記第１の供給制御手段を制御して、前記補助電源から前記第２の制御部への電力供給を再開させることを特徴とする請求項１に記載された電気機器。
【請求項５】
前記第１の制御部は、
前記通常モードにおいて、前記検出部が前記主電源の電圧低下を検出したときに、または、前記通常モードもしくは前記省電力モードにおいて、前記検出部が前記補助電源の電圧低下を検出したときに、前記動作部に所定の動作を実行させないような指示をし、および、前記第１の供給制御手段を制御して、前記補助電源から前記第２の制御部への電力供給の停止をさせた後、
前記第１の供給制御手段を制御して、前記補助電源から前記第２の制御部への電力供給を再開させることを特徴とする請求項２に記載された電気機器。
【請求項６】
商用電源と接続して電力を供給する主電源と、前記主電源からの電力で動作する動作部とを備える電気機器であって、
前記商用電源と前記主電源とを接続する電力供給ラインを切断する主電源制御スイッチと、
前記商用電源と前記主電源とが接続されているとき、前記主電源から印加される電圧の変化を検出する検出部と、
前記検出部が電圧低下を検出時に、前記主電源制御スイッチに切断を実行させる電力供給制御手段と
を備えることを特徴とする電気機器。
【請求項７】
前記検出部は、
前記商用電源と接続して直流電力を供給する補助電源から印加される電圧の変化も検出することを特徴とする請求項６に記載された電気機器。
【請求項８】
前記電力供給制御手段は、
前記補助電源から電力が供給される第１の制御部と、
前記補助電源から供給される電力で動作し、前記主電源制御スイッチに電気信号を送信している間、接続を維持させる第２の制御部と、
前記第１の制御部によって制御されて、前記補助電源から前記第２の制御部への電力供給を制御する第１の供給制御手段とを備え、
前記第１の制御部は、
前記検出部が前記主電源または前記補助電源の電圧低下を検出したときに、前記第１の供給制御手段を制御して、前記補助電源から前記第２の制御部への電力供給を停止させる
を備えることを特徴とする請求項７に記載された電気機器。
【請求項９】
前記動作部は、前記主電源から供給される電力で動作する駆動動作部と、前記主電源から供給される電力で前記駆動動作部を制御する駆動制御部とを備え、
前記第１の制御部は、
前記検出部が前記主電源または前記補助電源の電圧低下を検出したときに、前記駆動動作部に所定の動作を実行させないよう、前記駆動制御部に対して中止指示することを特徴とする請求項８に記載された電気機器。
【請求項１０】
前記動作部は、前記主電源から供給される電力で動作する駆動動作部と、前記主電源から供給される電力で前記駆動動作部を制御する駆動制御部とを備え、
前記第２の制御部は、前記動作部が動作可能な通常モード、または、消費電力を抑えて前記動作部が待機する省電力モードで稼働するよう、前記主電源から前記動作部への電力供給を制御し、
前記第１の制御部は、
前記通常モードにおいて、前記検出部が前記主電源の電圧低下を検出したときに、または、前記通常モードもしくは前記省電力モードにおいて、前記検出部が前記補助電源の電圧低下を検出したときに、前記駆動動作部に所定の動作を実行させないよう、前記駆動制御部に対して中止指示することを特徴とする請求項８に記載された電気機器。
【請求項１１】
前記第１の制御部は、中止指示、および、前記第１の供給制御手段を制御して、前記補助電源から前記第２の制御部への電力供給の停止を実行した後、
前記第１の供給制御手段を制御して、前記補助電源から前記第２の制御部への電力供給を再開させることを特徴とする請求項９または請求項１０に記載された電気機器。
【請求項１２】
請求項１ないし請求項１１の何れか一項に記載された電気機器を備える画像形成装置。
【請求項１３】
請求項４、請求項５、請求項９、請求項１０、および請求項１１の何れか一項に記載された電気機器を備え、
前記所定の動作は、色ずれ補正を含む初期化動作であることを特徴とする画像形成装置。
【発明の詳細な説明】
【技術分野】
【０００１】
本発明は、電力供給元にて発生する瞬断に対応する電気機器、及び画像形成装置に関し、特に、電気機器、画像形成装置が再起動時に行う初期化動作を抑止する技術に関する。
【背景技術】
【０００２】
従来のプリンタやＭＦＰ（Multi Function Printer）等の電気機器である画像形成装置は、感光ドラムに形成された静電潜像にトナーを付着させたトナー像を媒体上に転写する印刷工程を有する。この印刷工程において、露光器が感光ドラム表面上に光を照射してドットパターンの静電潜像を形成する露光工程を有するが、４色（ブラック（Ｋ），マゼンタ（Ｍ），イエロー（Ｙ），シアン（Ｃ））の感光ドラムそれぞれにおいて生じる微少な誤差により、媒体上に転写されたトナー像にて色ずれが生じた。
この色ずれを補正するために、露光器から光が実際に照射される位置と、目標照射位置との位置ずれを補正する必要があった。
【０００３】
従来の画像形成装置は、転写ベルト上に、各色（Ｋ、Ｙ、Ｍ、Ｃ）の模様（ドット等のトナーパターン）を同じ位置に形成し、４色を重ね合わせたトナーパターンを形成するように構成されている。また、従来の画像形成装置は、このトナーパターンから各色のトナーパターンの位置を色ずれセンサ（フォトダイオード等の光センサ（Photo Sensor））を用いて検出し、各色間のトナーパターンの相対的な離間距離（以下、「色ずれ量」と称する）を測定していた。そして、従来の画像形成装置は、測定した色ずれ量に基づき、４色のトナーパターンが一致する（正しく重なり合う）ように各色の露光器が光を照射するタイミングを調整していた。
このように、従来の画像形成装置は、この色ずれ補正を行う場合において、画像形成装置の消耗品である感光ドラムや転写ベルト、トナー等を使用していた。
【０００４】
また、一般的に、従来の画像形成装置は、この色ずれ補正を、画像形成装置の主電源がオンされた時や再起動時のタイミング等に、初期化動作の一つとして行っていた。
【先行技術文献】
【特許文献】
【０００５】
【特許文献１】特開２００８−１５８１６７号公報
【発明の概要】
【発明が解決しようとする課題】
【０００６】
しかしながら、従来の電気機器、画像形成装置は、商用電源等の電力供給元（交流電源）にて発生する瞬断により一時的に電圧が低下したときも、その後、電圧が回復してから初期化動作を行っていた。
このように、従来の画像形成装置は、瞬断が発生するたびに色ずれ補正等の初期化動作を行っていたため、画像形成装置の消耗品である感光ドラムや転写ベルト、トナー等が必要以上に使用されるという問題点があった。
【０００７】
本発明は、以上のような問題を解決するためになされたものであり、瞬断により一時的に電圧が低下した場合に初期化動作を行わない電気機器、画像形成装置を提供することを課題とする。
【課題を解決するための手段】
【０００８】
課題を解決するために、本発明の電気機器は、商用電源（交流電源１０１）と接続して電力を供給する主電源（第２の電源：メイン電源１１４）と、前記主電源からの電力で動作する動作部（画像形成部２０、プリンタ制御部１０５）とを備える電気機器（画像形成装置１）であって、前記商用電源と接続する補助電源（第１の電源：サブ電源１１２）から、電力が供給される第１の制御部（パワーオフ制御部１０３）と、前記第１の制御部によって制御されて、前記補助電源からの電力を第２の制御部（省電力制御部１０４）に供給する第１の供給制御手段（ＰｃｈＦＥＴ１０６）と、前記第２の制御部によって制御されて、前記主電源と前記動作部（画像形成部２０、プリンタ制御部１０５）とを接続する電力供給ラインを切断する第２の供給制御手段（リレー回路１１３）と、前記主電源の電圧低下を検出したことを、前記第１の制御部に通知する検出部（ＡＤコンバータ１１８）とを備え、前記検出部が前記主電源の電圧低下を検出したときに、前記第１の制御部は、前記第１の供給制御手段を制御して、前記補助電源から前記第２の制御部への電力供給を停止させることを特徴とする。なお、（  ）内の文字、記号は例示である。
【０００９】
当該構成によれば、瞬断から回復した時には、第２の供給制御手段により電力供給ラインが切断され、画像形成を行うのに必要な大電力が動作部（画像形成部等）に供給されず、不要な初期化動作を行うことがない。
ここで、補助電源から第１の制御部に供給される電力は、主電源から動作部に供給される電力（大電力）に比べてかなり小さく（微少電力）、第１の制御部が動作できる程度であることが望ましい。
【発明の効果】
【００１０】
本発明によれば、画像形成装置は、瞬断により一時的に電圧が低下した時には、前記主電源と前記動作部とを接続する電力供給ラインが第２の供給制御手段により切断される。このため、画像形成装置は、再起動時に不要な色ずれ補正等の初期化動作を行わない。したがって、画像形成装置の消耗品の消費量を軽減させることができる。
【図面の簡単な説明】
【００１１】
【図１】第１の実施形態に係る画像形成装置を含む画像形成システムを示す図である。
【図２】第１の実施形態に係る画像形成装置の内部構成図である。
【図３】第１の実施形態に係る画像形成装置の要部構成図である。
【図４】第１の実施形態に係るパワーオフ制御部の状態遷移図である。
【図５】オンモードにおける瞬断発生を、メイン電源から検出する場合の、電圧値の変化および信号レベルを示すタイミングチャートである。
【図６】印刷モード（オンモード）における瞬断発生を、サブ電源から検出する場合の、電圧値の変化および信号レベルを示すタイミングチャートである。
【図７】省電力モード（オンモード）における瞬断発生を、サブ電源から検出する場合の、電圧値の変化および信号レベルを示すタイミングチャートである。
【図８】第２の実施形態に係る画像形成装置の要部構成図である。
【図９】第２の実施形態に係るパワーオフ制御部の状態遷移図である。
【図１０】第２の実施形態に係るパワーオフ制御部が行う瞬断検出処理における状態遷移図である。
【図１１】第２の実施形態に係るプリンタ制御部が行う初期化動作の実行判断処理を示すフローチャートである。
【図１２】オンモードにおける瞬断発生を、メイン電源から検出する場合の、電圧値の変化および信号レベルを示すタイミングチャートである。
【発明を実施するための形態】
【００１２】
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１３】
図１に示すように、画像形成装置１は、画像形成装置１の全体を制御する制御部１０と、第１の制御部としてのパワーオフ制御部１０３と、第２の制御部としての省電力制御部１０４と、画像データに画像処理を行う画像形成部２０と、データやプログラムを記憶する記憶部３０と、ネットワーク４に接続する通信部４０と、電力を供給する電源部１０２と、スイッチ手段としての電源スイッチ１０７とを備える。
この画像形成装置１には、ネットワーク４を介して接続された外部装置１３０から印刷データが入力される。
画像形成装置１は、商用電源である交流電源１０１と接続され、交流電力が供給される。
【００１４】
この画像形成装置１は、電源スイッチ１０７がオンで内部に交流電力が供給されて稼働状態にある「オンモード」と、電源スイッチ１０７がオフで非稼働状態にある「オフモード」との状態がある。
【００１５】
さらに、画像形成装置１は「オンモード」の状態のときに「印刷モード」または「省電力モード」で動作する。「印刷モード」は、外部装置１３０からネットワーク４を介して送信される印刷指示に応じて、画像形成装置１がすぐにでも媒体上に画像を形成することができる状態である。つまり、「印刷モード」は、画像処理部１６および画像形成部２０が処理を実行できる状態であり、後記する定着器２１１（図２）の加熱ローラ２１１ａ（ヒータ）が定着可能な稼動待機状態である。一方、「省電力モード」は、画像形成部２０が備える各種モータを駆動する電力や、加熱ローラ２１１ａに内蔵されたハロゲンランプ等への電力供給量を減らして、消費電力を低減している状態である。
【００１６】
［ネットワーク４］
ネットワーク４は、外部装置１３０が送信する印刷データが送信先の画像形成装置１で受信されるように通信可能に接続される通信路である。このネットワーク４は、例えば、有線／無線ＬＡＮ（Local Area Network）や、ＷＡＮ（Wide Area Network）、ZigBee（登録商標）、Bluetooth（登録商標）、Wi-Fi（登録商標）、赤外線通信等であってもよい。
【００１７】
［外部装置１３０］
外部装置１３０は、画像形成装置１とネットワーク４を介して通信可能に接続し、印刷データを送信するコンピュータである。この外部装置１３０は、例えば、ＰＣ（Personal Computer）や、スマートフォン、デジタルカメラ等のコンピュータが、文書データや画像データ等から印刷データを作成して、その印刷データを画像形成装置１に送信する。
この印刷データは、画像形成装置１にて画像処理可能なデータである。例えば、外部装置１３０がＰＣであれば、印刷データは、外部装置１３０にて所定のアプリケーションソフトを用いて作成した文書データから、外部装置１３０にインストールされたプリンタドライバを用いて作成された、画像形成装置１にて画像処理可能なデータである。
【００１８】
次に画像形成装置１の各構成について説明する。
［記憶部３０］
記憶部３０は、データやプログラムを記憶する構成部であり、例えば、ＨＤＤ（Hard Disc Drive）、ＲＡＭ（Random Access Memory）、光ディスク等の記憶手段である。
【００１９】
［通信部４０］
通信部４０は、ネットワーク４と接続するインタフェースであり、制御部１０（通信制御部１５）に制御されて、接続先（外部装置１３０）と通信可能に接続し、データの送受信を行う構成部である。
【００２０】
［電源部１０２］
電源部１０２は、商用電源である交流電源１０１と接続され、画像形成装置１の内部に交流電力を供給する。この電源部１０２は、パワーオフ制御部１０３が動作するための電力が供給される補助電源としてのサブ電源１１２と、大電力を供給する主電源としてのメイン電源１１４とを備える。これら各構成の詳細な説明は後記する。
【００２１】
［電源スイッチ１０７］
電源スイッチ１０７は、画像形成装置１の主電源スイッチであり、ユーザにより操作されて画像形成装置１の電源オン／オフの指示を受け付ける。ここで、電源スイッチ１０７のスイッチがオフであっても、サブ電源１１２には交流電力が供給されているため、画像形成装置１は「オフモード」の状態である。そして、後記するパワーオフ制御部１０３には、サブ電源１１２から直流電力が供給されるように回路が構成されている。詳細な説明は後記する。
【００２２】
［パワーオフ制御部１０３］
パワーオフ制御部１０３は、画像形成装置１の電源のオン／オフを制御して、電源オンにして画像形成装置１を稼働状態にする「オンモード」と、電源オフにして画像形成装置１を非稼働状態にする「オフモード」とのどちらか一方に切り替える。このパワーオフ制御部１０３についての詳細な説明は後記する。
ここで、画像形成装置１の状態が「オフモード」であっても、パワーオフ制御部１０３には、サブ電源１１２から直流電力が供給されるように構成されている。
このパワーオフ制御部１０３は、例えば、ＣＰＵ（Central Processing Unit）で構成され、ＣＰＵが記憶部３０に格納されるプログラムを展開し実行することによってパワーオフ制御部１０３の機能が実現される。
【００２３】
［省電力制御部１０４］
省電力制御部１０４は、電源オン時の画像形成装置１の稼働状態を制御する。この省電力制御部１０４は、「オンモード」の画像形成装置１の稼働状態を「印刷モード」と「省電力モード」とのどちらか一方に切り替える。この省電力制御部１０４についての詳細な説明は後記する。
この省電力制御部１０４は、例えば、ＣＰＵで構成され、ＣＰＵが記憶部３０に格納されるプログラムを展開し実行することによって省電力制御部１０４の機能が実現される。
【００２４】
［制御部１０］
制御部１０は、画像形成装置１の全体を制御する構成部であり、例えば、ＣＰＵで構成され、ＣＰＵが記憶部３０に格納されるプログラムを展開し実行することによって画像形成装置１の各機能が実現される。本実施形態において、この制御部１０は、プリンタ制御部１０５と、画像処理部１６と、通信制御部１５とを備える。
【００２５】
［プリンタ制御部１０５］
プリンタ制御部１０５は、画像処理部１６に処理をさせたり、画像形成部２０の動作を制御したりする。
【００２６】
［通信制御部１５］
通信制御部１５は、通信部４０を制御して、接続先（外部装置１３０）とデータの送受信を行う機能を有する。
この通信制御部１５は、画像形成装置１の状態が「オンモード」であるときに、印刷データを受信した場合に、印刷データを受信したことを省電力制御部１０４に通知する。そして、印刷データを画像処理部１６に出力する。
【００２７】
［画像処理部１６］
画像処理部１６は、印刷データを解析して、印刷データに含まれる画像データに画像処理を行う構成部である。
【００２８】
［画像形成部２０］
画像形成部２０は、制御部１０（プリンタ制御部１０５）に制御されて、用紙等の媒体２０１上に画像処理部１６が画像処理した画像を形成（印刷）する構成部である。第１の実施形態における画像形成部２０は、図２に示す、各色（Ｋ，Ｍ，Ｙ，Ｃ）の現像ユニット２１０（露光器２１９、像担持体としての感光ドラム２２１、帯電部としての帯電ローラ２２２、現像剤供給部材としての供給ローラ２２３、現像剤担持体としての現像ローラ２２４）、転写部材としての転写ローラ２２５、定着器２１１、色ずれセンサ２１８、各種ローラやベルトを駆動させる駆動部（モータ等）等で構成される。
【００２９】
画像形成部２０の動作について、図２を用いて、詳細に説明する。
プリンタ制御部１０５に制御されて、画像形成装置１の内部に備える駆動部（各種ローラやベルト）を駆動することで、用紙カセット２０２に載置された媒体２０１を搬送する。画像形成部２０では、画像処理部１６による画像処理後の画像データに基づき露光器２１９が感光ドラム２２１に静電潜像を形成し、現像ローラ２２４から電界の力によってトナーが静電潜像に移動して、静電潜像にトナーを付着させたトナー画像（現像剤像）の形成が行われる。そして、画像形成部２０は、感光ドラム２２１に形成されたトナー画像を転写ローラ２２５で媒体２０１に転写し、定着器２１１の加熱ローラ２１１ａ（ヒータ）を用いて媒体２０１上にトナー画像を加熱定着して、画像を媒体２０１上に画像形成（印刷）して、媒体２０１を排紙トレー２３１に排出する。これにより、ユーザは、画像形成装置１から排出された媒体２０１（印刷物）を回収することができる。
【００３０】
ここで、画像形成部２０の色ずれ補正動作について、図２を用いて、詳細に説明する。この色ずれ補正動作は、画像形成装置１の初期化動作の一つとして行われる。この画像形成装置１の初期化動作は、主電源がオンされたタイミングで行われる。
また、画像形成装置１は、初期化動作として、色ずれ補正動作の他に、定着器２１１の加熱ローラ２１１ａ（ヒータ）を熱して所定の温度に上げるウォーミングアップや、定着器２１１、感光ドラム２２１、転写ベルト２０８、消耗品（トナー量等）の実装チェック動作、媒体２０１に係る用紙ジャムチェック等がある。
例えば、前記背景技術で説明した色ずれ補正を実行すると、画像形成装置１の消耗品である感光ドラム２１１や転写ベルト２０８、トナー等が使用された。
【００３１】
図３は、第１の実施形態に係る画像形成装置の要部構成図である。この図３は、図１における電力供給部２およびプリンタ制御部１０５（制御部１０）の構成を中心に図示している。
この電力供給部２は、図１に示す、サブ電源１１２（電源部１０２）、メイン電源１１４（電源部１０２）と、第１の制御部としてのパワーオフ制御部１０３と、省電力制御部１０４と、電源スイッチ１０７とを備える。さらに、電力供給部２は、第１の供給制御手段としてのＰｃｈＦＥＴ１０６と、電源スイッチＬＥＤ１０８と、ＤＣ−ＤＣコンバータ１０９と、第一リセット部としてのリセットＩＣ１１０と、第二リセット部としてのリセットＩＣ１１１と、第２の供給制御手段としてのリレー回路１１３（電源部１０２）と、パワーオフ制御部１０３に内蔵される検出部としてのＡＤコンバータ１１８と、バッファ素子１２１と、抵抗器（抵抗器１１５、抵抗器１１６、抵抗器１１７、抵抗器１１９、抵抗器１２０、抵抗器１２２、抵抗器１２３、抵抗器１２４）とを備える。
【００３２】
［電源部１０２］
電源部１０２は、補助電源としてのサブ電源１１２と、リレー回路１１３と、主電源としてのメイン電源１１４とを備える。ここで、メイン電源１１４はリレー回路１１３を介して交流電源１０１と接続され、サブ電源１１２は交流電源１０１と接続されている。
【００３３】
（サブ電源１１２）
サブ電源１１２は、ＡＣ／ＤＣ変換回路からなり、交流電源１０１から供給される交流電力を直流電力に変換して、３．３Ｖの直流電圧（３．３ＶＳｏ電圧）を出力する。この３．３ＶＳｏ電圧は、パワーオフ制御部１０３（検出部であるＡＤコンバータ１１８）と、ＰｃｈＦＥＴ１０６を介して省電力制御部１０４に印加される。
ここで、図５の説明においては、パワーオフ制御部１０３および省電力制御部１０４は、電力消費量が少ないので、瞬断が生じても、サブ電源１１２は、一定時間（少なくともΔＴ）、３．３Ｖの直流電圧を出力するとする。しかしながら、図６の説明においては、瞬断時間が長く、パワーオフ制御部１０３の出力電圧が低下するとする。
【００３４】
（リレー回路１１３）
リレー回路１１３は、省電力制御部１０４に制御されて、メイン電源１１４への電力供給を制御するスイッチである。
本実施形態において、リレー回路１１３は、省電力制御部１０４からのＰＯＷＥＲＳＡＶＥ−Ｎ信号に応じて、スイッチのオン／オフを行う。ＰＯＷＥＲＳＡＶＥ−Ｎ信号がＨｉｇｈレベルのとき、スイッチをオン（導通）する。これにより、交流電源１０１（交流電力）からメイン電源１１４に電力供給が行われる。一方、ＰＯＷＥＲＳＡＶＥ−Ｎ信号がＬｏｗレベルのとき、リレー回路１１３はスイッチをオフ（遮断）する。これにより、交流電源１０１（交流電力）からメイン電源１１４への電力供給が停止される。
【００３５】
（メイン電源１１４）
メイン電源１１４は、ＡＣ／ＤＣ変換回路からなり、交流電源１０１から印加された交流電圧を直流電圧に変換して、５Ｖ電圧と２４Ｖ電圧との双方を出力する。この２４Ｖ電圧および５Ｖ電圧は、画像形成装置１の内部の画像形成部２０が備える各種ローラやベルト等、印刷機能を実行するために必要な構成部に印加される。また、５Ｖ電圧は、ＤＣ−ＤＣコンバータ１０９とリセットＩＣ１１０とにも印加される。ＤＣ−ＤＣコンバータ１０９とリセットＩＣ１１０とについては詳細を後記する。
また、５Ｖ電圧は、抵抗器１２３と抵抗器１２４とで分圧され、この分圧された電圧５Ｖｉｎ−Ｐが、パワーオフ制御部１０３に内蔵されるＡＤコンバータ１１８に印加される。
【００３６】
［パワーオフ制御部１０３］
パワーオフ制御部１０３は、検出部としてのＡＤコンバータ１１８を内蔵し、電源スイッチ１０７の電源オン／オフに応じて、画像形成装置１の電源のオン／オフを制御する。また、パワーオフ制御部１０３は、電源電圧値の変化を検出して、画像形成装置１の電源のオン／オフを制御する。
ここで、画像形成装置１の電源がオフ（オフモードの状態）であっても、パワーオフ制御部１０３には、サブ電源１１２から常に直流電力が供給される構成になっている。
【００３７】
本実施形態において、パワーオフ制御部１０３は、電源スイッチ１０７の状態を監視しており、電源スイッチ１０７が一時的にオン状態にされ、ＰＷＲＳＷＯＮ−ＮがＬＯＷレベルに遷移したときに、ＳＵＢＰＷＲＯＮ−Ｎ信号をＬｏｗレベルで出力する（図５参照）。また、パワーオフ制御部１０３は、５Ｖｉｎ−Ｐ電圧と３．３ＶＳｉ電圧との差分電圧をＡ／Ｄ変換する電源電圧検出回路（ＡＤコンバータ１１８）を内蔵している。瞬断時においては、３．３ＶＳｉ電圧は一定なので、５Ｖｉｎ−Ｐ電圧の電位をＡ／Ｄ変換することになる。つまり、パワーオフ制御部１０３は、５Ｖｉｎ−Ｐ電圧の低下を検出したときに、ＰｃｈＦＥＴ１０６のゲート端子と接続された信号線に、ＳＵＢＰＷＲＯＮ−Ｎ信号をＨｉｇｈレベルで出力する（図４の（１），（６）。その後、３．３ＶＳｏ電圧が通常の電圧値に戻った時にＳＵＢＰＷＲＯＮ−Ｎ信号をＬｏｗレベルで出力する（図４の（２）〜（５））。
なお、図６の説明においては、ＡＤコンバータ１１８は、３．３ＶＳｉの電圧（および５Ｖｉｎ−Ｐの電圧の何れか一方または双方）を検出するとする。
【００３８】
なお、パワーオフ制御部１０３は、サブ電源１１２と接続されると共に、図示しないＩ／Ｏポートにより、電源スイッチ１０７と接続されている。この電源スイッチ１０７は、サブ電源１１２と接続される抵抗器１１５によって３．３ＶＳｏ電圧にプルアップされており、パワーオフ制御部１０３は、電源スイッチ１０７のオン／オフを監視している。
【００３９】
パワーオフ制御部１０３は、抵抗器１１６を介して電源スイッチＬＥＤ１０８のアノードに接続され、電源スイッチＬＥＤ１０８に対して、「オンモード」のとき、Ｈｉｇｈレベルの信号を出力し（電源スイッチＬＥＤ１０８：点灯）、一方「オフモード」のとき、Ｌｏｗレベルの信号を出力する（電源スイッチＬＥＤ１０８：消灯）。
【００４０】
パワーオフ制御部１０３は、省電力制御部１０４に対して、オフモード状態にするとき、ＯＦＦＭＯＤＥ−Ｐ信号をＨｉｇｈレベルで出力し（図４の（１），（４）〜（６））、一方、オンモード状態にするとき、ＯＦＦＭＯＤＥ−Ｐ信号をＬｏｗレベルで出力する（図４の（２），（３））。
【００４１】
［リセットＩＣ１１１］
第二リセット部としてのリセットＩＣ１１１は、ＰｃｈＦＥＴ１０６のドレイン端の電圧３．３ＶＳｉがＬｏｗレベルからＨｉｇｈレベルに遷移したときに、出力信号（ＲＥＳＥＴ１−Ｎ信号）のＬｏｗレベル状態を所定時間（５００ｍｓｅｃ）維持し、その後、Ｈｉｇｈレベルに遷移する（図５参照）。
【００４２】
［省電力制御部１０４］
省電力制御部１０４は、電源オン時の画像形成装置１の稼働状態を制御する。この省電力制御部１０４は、オンモードにおける稼働状態を「印刷モード」と「省電力モード」とのどちらか一方に切り替える。
【００４３】
（入力信号：ＲＥＳＥＴ１−Ｎ信号）
省電力制御部１０４は、ＲＥＳＥＴ端子にＲＥＳＥＴ１−Ｎ信号が入力される。これにより、ＲＥＳＥＴ１−Ｎ信号がＬｏｗレベルのとき、省電力制御部１０４はリセット状態になる。一方、ＲＥＳＥＴ１−Ｎ信号がＨｉｇｈレベルに遷移した時、省電力制御部１０４はリセット状態が解除される。
【００４４】
（出力信号：ＰＯＷＥＲＳＡＶＥ−Ｎ信号）
省電力制御部１０４は、リレー回路１１３とパワーオフ制御部１０３とに対して、ＰＯＷＥＲＳＡＶＥ−Ｎ信号を出力する。省電力制御部１０４は、リセット状態が解除されたとき（ＲＥＳＥＴ１−Ｎ信号がＨｉｇｈレベルのとき）、ＰＯＷＥＲＳＡＶＥ−Ｎ信号をＨｉｇｈレベルで出力し（図４の（１），（４）〜（６））、一方、ＲＥＳＥＴ１−Ｎ信号がＬｏｗレベルのとき、ＰＯＷＥＲＳＡＶＥ−Ｎ信号をＬｏｗレベルで出力する（図４の（２），（３））。
しかしながら、省電力制御部１０４は、３．３ＶＳｉ電圧が印加されていないとき、ＰＯＷＥＲＳＡＶＥ−Ｎ信号をＬｏｗレベルで出力する。
【００４５】
この省電力制御部１０４は、次のようにＰＯＷＥＲＳＡＶＥ−Ｎ信号を出力して、オンモード時の画像形成装置１の稼働状態を「印刷モード」または「省電力モード」に制御する。
【００４６】
（印刷モード→省電力モード）
画像形成装置１が「印刷モード」で稼働中のときに、例えば、タイマ１２５から時刻を取得して、画像形成部２０を動作させずに所定の時間が経過した場合、省電力制御部１０４は、画像形成装置１を「省電力モード」に移行させるため、ＰＯＷＥＲＳＡＶＥ−Ｎ信号をＬｏｗレベルで出力する。これにより、リレー回路１１３は、スイッチがオフされ、交流電源１０１（交流電力）からメイン電源１１４への電力供給が遮断される。すなわち、メイン電源１１４からの直流電力で動作する各機構部での待機電力を削減できるため、画像形成装置１における消費電力を低減することができる。
【００４７】
（省電力モード→印刷モード）
また、画像形成装置１が「省電力モード」で稼働中のときに、外部装置１３０から印刷データの入力があった場合、省電力制御部１０４は、画像形成装置１を「印刷モード」に移行（復帰）させるため、ＰＯＷＥＲＳＡＶＥ−Ｎ信号をＨｉｇｈレベルで出力する。これにより、リレー回路１１３がスイッチをオンして、交流電源１０１（交流電力）からメイン電源１１４に電力供給が行われる。そのため、メイン電源１１４から各機構部に電力が供給され、画像形成装置１は印刷可能な状態になる。
【００４８】
省電力制御部１０４は、オフモードへの移行を許可する信号（ＡＵＴＯＯＦＦ＿ＯＫ−Ｐ信号）をパワーオフ制御部１０３に出力する。
【００４９】
［ＰｃｈＦＥＴ１０６］
ＰｃｈＦＥＴ１０６は、省電力制御部１０４への電力供給を制御するスイッチであり、パワーオフ制御部１０３のＳＵＢＰＷＲＯＮ−Ｎ信号により、スイッチのオン／オフが制御される。
ＰｃｈＦＥＴ１０６は、ＳＵＢＰＷＲＯＮ−Ｎ信号がＬｏｗレベルのときスイッチオンし、一方、ＳＵＢＰＷＲＯＮ−Ｎ信号がＨｉｇｈレベルのときスイッチオフする。
ＰｃｈＦＥＴ１０６がオンしたとき、ドレイン端子から３．３ＶＳｉ電圧が省電力制御部１０４に印加される。この３．３ＶＳｉ電圧は、パワーオフ制御部１０３が備える周辺構成部であるＡＤコンバータ１１８と、リセットＩＣ１１１とに印加される。
【００５０】
［電源スイッチ１０７］
電源スイッチ１０７は、画像形成装置１の主電源スイッチであり、ユーザにより操作されて画像形成装置１の電源オン／オフの指示を受け付ける。この電源スイッチ１０７は、一端が抵抗器１１５を介してサブ電源１１２と接続され、他端がグラウンドと接続されている。電源スイッチ１０７がスイッチオン（電源オン）のとき、Ｌｏｗレベルでパワーオフ制御部１０３に入力され、また、スイッチオフ（電源オフ）のとき、Ｈｉｇｈレベルでパワーオフ制御部１０３に入力される。
【００５１】
［電源スイッチＬＥＤ１０８］
電源スイッチＬＥＤ１０８は、画像形成装置１の電源オン／オフ等、画像形成装置１の稼働状態を表示する。この電源スイッチＬＥＤ１０８は、アノードがパワーオフ制御部１０３に接続され、カソードがグラウンドに接続されている。この電源スイッチＬＥＤ１０８は、パワーオフ制御部１０３からの信号がＨｉｇｈレベルのとき点灯し、Ｌｏｗレベルのとき消灯する。また、パワーオフ制御部１０３からの複雑な信号に応じて点滅もする。
【００５２】
［ＤＣ−ＤＣコンバータ１０９］
ＤＣ−ＤＣコンバータ１０９は、メイン電源１１４からの５Ｖ電圧を３．３Ｖ電圧に降圧してプリンタ制御部１０５に印加する。これにより、プリンタ制御部１０５が動作するために必要な直流電力が供給される。
【００５３】
［リセットＩＣ１１０］
第一リセット部としてのリセットＩＣ１１０は、メイン電源１１４の出力電圧５ＶがＬｏｗレベルからＨｉｇｈレベルに遷移したときに、出力信号（ＲＥＳＥＴ２−Ｎ信号）のＬｏｗレベル状態を所定時間（５００ｍｓｅｃ）維持し、その後、Ｈｉｇｈレベルに遷移する（図５参照）。
このリセットＩＣ１１０から出力されるＲＥＳＥＴ２−Ｎ信号は、抵抗器１２２によって３．３Ｖ電圧にプルアップされ、プリンタ制御部１０５のＲＥＳＥＴ２−Ｎ端子に出力される。
なお、リセットＩＣ１１１のＲＥＳＥＴ１−Ｎ信号は、出力端がオープンコレクタになっているバッファ素子１２１に入力され、バッファ素子１２１の出力端はＲＥＳＥＴ２−Ｎ端子に接続されている。このため、ＲＥＳＥＴ２−Ｎ端子は、ＲＥＳＥＴ１−Ｎ端子のリセット状態が解除されない限り、リセット状態が解除されない。
【００５４】
本実施形態において、リセットＩＣ１１１は、入力端子に印加される３．３ＶＳｉ電圧が低下した時にＲＥＳＥＴ１−Ｎ信号をＬｏｗレベルで出力し、その後、３．３ＶＳｉ電圧が通常の電圧値に戻った時に、５００ｍｓｅｃの遅延時間後、ＲＥＳＥＴ１−Ｎ信号をＨｉｇｈレベルで出力する。
【００５５】
［バッファ素子１２１］
バッファ素子１２１は、ダイオードであり、アノードが、リセットＩＣ１１０の出力端子とプリンタ制御部１０５の信号入力端子とを結ぶ信号線と接続し、カソードが、リセットＩＣ１１１の出力端子と省電力制御部１０４の信号入力端子とを結ぶ信号線と接続するワイヤードＯＲ接続である。
【００５６】
図３に示す各信号の説明をする。図３には、ＰＯＷＥＲＳＡＶＥ−Ｎ信号、ＲＥＳＥＴ１−Ｎ信号、ＲＥＳＥＴ２−Ｎ信号、ＳＵＢＰＷＲＯＮ−Ｎ信号、ＰＷＲＳＷＯＮ−Ｎ信号、ＯＦＦＭＯＤＥ−Ｐ信号、ＡＵＴＯＯＦＦ＿ＯＫ−Ｐ信号が示されている。
【００５７】
［ＰＯＷＥＲＳＡＶＥ−Ｎ信号］
ＰＯＷＥＲＳＡＶＥ−Ｎ信号は、省電力制御部１０４から出力されるメイン電源１１４への電力供給を制御する信号である。このＰＯＷＥＲＳＡＶＥ−Ｎ信号は、リレー回路１１３と、パワーオフ制御部１０３とに入力される。
【００５８】
［ＲＥＳＥＴ１−Ｎ信号］
ＲＥＳＥＴ１−Ｎ信号は、リセットＩＣ１１１から省電力制御部１０４に出力されるリセット信号である。このＲＥＳＥＴ１−Ｎ信号は、オープンドレインの出力仕様であって、抵抗器１２０によって３．３ＶＳｉ電圧にプルアップされる。
【００５９】
［ＲＥＳＥＴ２−Ｎ信号］
ＲＥＳＥＴ２−Ｎ信号は、リセットＩＣ１１０からプリンタ制御部１０５に出力されるリセット信号である。このＲＥＳＥＴ２−Ｎ信号は、抵抗器１２２によって３．３Ｖ電圧にプルアップされる。
【００６０】
［ＳＵＢＰＷＲＯＮ−Ｎ信号］
ＳＵＢＰＷＲＯＮ−Ｎ信号は、パワーオフ制御部１０３から出力される、ＰｃｈＦＥＴ１０６のオン／オフを制御する信号である。このＳＵＢＰＷＲＯＮ−Ｎ信号は、オープンドレインの出力仕様であって、抵抗器１１７によって３．３ＶＳｏ電圧にプルアップされて、ＰｃｈＦＥＴ１０６のゲート端子に入力される。
ＳＵＢＰＷＲＯＮ−Ｎ信号がＬｏｗレベルのとき、ＰｃｈＦＥＴ１０６はオンする。これにより、ＰｃｈＦＥＴ１０６のドレイン端子から、省電力制御部１０４が動作するための３．３ＶＳｉ電圧が、省電力制御部１０４に印加される。
一方、ＳＵＢＰＷＲＯＮ−Ｎ信号がＨｉｇｈレベルのとき、ＰｃｈＦＥＴ１０６はオフする。
すなわち、ＳＵＢＰＷＲＯＮ−Ｎ信号が、Ｌｏｗレベルの時、リレー回路１１３のスイッチがオン、すなわち、メイン電源１１４から電力供給が可能な状態（行われている状態）になるように、省電力制御部１０４は、ＰＯＷＥＲＳＡＶＥ−Ｎ信号を出力する（図４の（２）〜（５））。一方、Ｈｉｇｈレベルの時、リレー回路１１３のスイッチがオフ、すなわち、メイン電源１１４から電力供給が不可能な状態（遮断されている状態）になるように、省電力制御部１０４は、ＰＯＷＥＲＳＡＶＥ−Ｎ信号を出力する（図４の（１），（６））。
【００６１】
［ＰＷＲＳＷＯＮ−Ｎ信号］
ＰＷＲＳＷＯＮ−Ｎ信号は、ユーザにより電源スイッチ１０７が押圧されたことを検出するための信号である。
本実施形態において、パワーオフ制御部１０３には、ユーザにより画像形成装置１の電源プラグが交流電源１０１（コンセント）に接続されて、サブ電源１１２から電力が供給されることで、ＰＷＲＳＷＯＮ−Ｎ信号がＨｉｇｈレベル（３．３ＶＳｏ電圧）で入力される。その後、パワーオフ制御部１０３には、ユーザにより電源スイッチ１０７が指等で押圧された瞬間からＬｏｗレベルで入力され、その電源スイッチ１０７がユーザの指等から開放された瞬間からＨｉｇｈレベルで入力される。
ここで、電源スイッチ１０７がオンされた瞬間（電源オン）、ＰＷＲＳＷＯＮ−Ｎ信号は、サブ電源１１２から印加される電圧が抵抗器１１５によって３．３ＶＳｏ電圧にプルアップされて、パワーオフ制御部１０３に入力される。
【００６２】
［ＯＦＦＭＯＤＥ−Ｐ信号］
ＯＦＦＭＯＤＥ−Ｐ信号は、パワーオフ制御部１０３から出力される、「オンモード」または「オフモード」であることを示す信号である。このＯＦＦＭＯＤＥ−Ｐ信号は、オープンドレインの出力仕様であって、抵抗器１１９によって３．３ＶＳｏ電圧にプルアップされて、省電力制御部１０４に入力される。
ＯＦＦＭＯＤＥ−Ｐ信号は、Ｈｉｇｈレベルの時、パワーオフ制御部１０３が「オフモード」あるいは「オフモードへの移行中」であることを示す（図４の（１），（４）〜（６））。一方、Ｌｏｗレベルの時、パワーオフ制御部１０３が「オンモード」あるいは「オンモードへの移行中」であることを示す（図４の（２），（３））。
【００６３】
［ＡＵＴＯＯＦＦ＿ＯＫ−Ｐ信号］
ＡＵＴＯＯＦＦ＿ＯＫ−Ｐ信号は、省電力制御部１０４から出力されるオフモード移行許可信号である。
【００６４】
図４を用いてパワーオフ制御部１０３が行う処理について説明する。
図４に示すように、パワーオフ制御部１０３は、各状態において、検出したデータや入力される指示に応じて、以下の７つの状態に遷移する。
（１）オフモード３０１
（２）オンモード移行中３０２
（３）オンモード３０３
（４）オフモード移行中３０４
（５）オフモード移行中３０５
（６）オフモード移行中３０６
（７）タイムアウトエラー３０７
【００６５】
各状態について説明する。
まず、ユーザにより画像形成装置１の電源プラグが交流電源１０１（コンセント）に接続され、サブ電源１１２（電源部１０２）から３．３ＶＳｏ電圧がパワーオフ制御部１０３に印加されたとき、パワーオフ制御部１０３は起動して、『（１）オフモード３０１』の状態に遷移する（ステップＳ１０１）。これにより、画像形成装置１は「オフモード」の状態になる。
【００６６】
（１）オフモード３０１
電源スイッチＬＥＤ１０８：消灯
ＯＦＦＭＯＤＥ−Ｐ信号の出力レベル：Ｈｉｇｈ
ＳＵＢＰＷＲＯＮ−Ｎ信号の出力レベル：Ｈｉｇｈ
【００６７】
ステップＳ１０１の処理で遷移したオフモード３０１の状態において、ユーザにより電源スイッチ１０７が電源オンの操作をされていないため、電源スイッチＬＥＤ１０８は消灯したままである。
【００６８】
オフモード３０１の状態において、ユーザにより電源スイッチ１０７が押圧されることで（電源オン）、パワーオフ制御部１０３に入力されるＰＷＲＳＷＯＮ−Ｎ信号のレベルがＨｉｇｈからＬｏｗに変わり、パワーオフ制御部１０３は電源スイッチ１０７が押圧されたことを検出する（ステップＳ１０２）。これにより、パワーオフ制御部１０３は、『（２）オンモード移行中３０２』の状態に遷移する。
【００６９】
（２）オンモード移行中３０２
電源スイッチＬＥＤ１０８：点灯
ＯＦＦＭＯＤＥ−Ｐ信号の出力レベル：Ｌｏｗ
ＳＵＢＰＷＲＯＮ−Ｎ信号の出力レベル：Ｌｏｗ
【００７０】
ステップＳ１０２の後、オンモード移行中３０２の状態におけるパワーオフ制御部１０３には、抵抗器１１５によって３．３ＶＳｏ電圧にプルアップされたＰＷＲＳＷＯＮ−Ｎ信号（Ｈｉｇｈレベル）が入力される。これにより、パワーオフ制御部１０３は、電源オンされたことを検出して、電源スイッチＬＥＤ１０８を点灯させる。
【００７１】
また、電源オンされたことを検出したパワーオフ制御部１０３は、ＳＵＢＰＷＲＯＮ−Ｎ信号をＬｏｗレベルで出力する。これにより、ＰｃｈＦＥＴ１０６がオンし、ＰｃｈＦＥＴ１０６のドレイン端子から電流が流れ、ドレイン端子側の電位が３．３ＶＳｉ電圧となる。この３．３ＶＳｉ電圧がＡＤコンバータ１１８に印加されることで、パワーオフ制御部１０３は検出する（ステップＳ１０３）。このとき、３．３ＶＳｉ電圧が省電力制御部１０４にも３．３ＶＳｉ電圧を印加されている。
これにより、パワーオフ制御部１０３は、『（３）オンモード３０３』の状態に遷移する。このとき、画像形成装置１は「オンモード（印刷モード）」の状態になる。
【００７２】
（３）オンモード３０３
電源スイッチＬＥＤ１０８：点灯
ＯＦＦＭＯＤＥ−Ｐ信号の出力レベル：Ｌｏｗ
ＳＵＢＰＷＲＯＮ−Ｎ信号の出力レベル：Ｌｏｗ
【００７３】
このオンモード３０３の状態において、省電力制御部１０４がＰＯＷＥＲＳＡＶＥ−Ｎ信号をＨｉｇｈレベルで出力した場合に、パワーオフ制御部１０３は画像形成装置１の状態を「印刷モード」にする。そして、所定の時間が経過した場合には、省電力制御部１０４がＰＯＷＥＲＳＡＶＥ−Ｎ信号をＬｏｗレベルで出力した場合に、パワーオフ制御部１０３は画像形成装置１の状態を「省電力モード」にする。
【００７４】
ここで、パワーオフ制御部１０３は、次の２つのパターン（パターン１、パターン２）の場合に、ステップＳ１０４−１、ステップＳ１０４−２を実行して、『（１）オフモード３０１』の状態に遷移する。
【００７５】
（パターン１）
パワーオフ制御部１０３は、省電力制御部１０４が出力するＰＯＷＥＲＳＡＶＥ−Ｎ信号がＨｉｇｈレベルの場合に（印刷モード時）、ＡＤコンバータ１１８に印加される、抵抗器１２３と抵抗器１２４とで分圧された電圧（５Ｖｉｎ−Ｐ）の電圧値が低下したことを検出したとき、『（１）オフモード３０１』の状態に遷移する（ステップＳ１０４−１）。このステップＳ１０４−１の処理の詳細については後記する（図５）。
【００７６】
（パターン２）
パワーオフ制御部１０３は、省電力制御部１０４が出力するＰＯＷＥＲＳＡＶＥ−Ｎ信号がＬｏｗレベルの場合に（省電力モード時）、ＰｃｈＦＥＴ１０６のドレイン端子からＡＤコンバータ１１８に印加される３．３ＶＳｉ電圧、およびメイン電源１１４の出力電圧の分圧５Ｖｉｎ−Ｐの何れか一方または双方の電圧値が低下したことを検出したとき、『（１）オフモード３０１』の状態に遷移する（ステップＳ１０４−２）。このステップＳ１０４−２の処理の詳細については後記する（図６、図７）。
【００７７】
また、オンモード３０３の状態において、ユーザにより電源スイッチ１０７が押圧され、電源オフされたとき、パワーオフ制御部１０３は、『（４）オフモード移行中３０４』の状態に遷移する（ステップＳ１０５）。
もしくは、オンモード３０３の状態において、省電力制御部１０４が出力するＡＵＴＯＯＦＦ＿ＯＫ−Ｐ信号（オフモードへの移行を許可する信号）をＨｉｇｈレベルで検出したとき、パワーオフ制御部１０３は、『（５）オフモード移行中３０５』の状態に遷移する（ステップＳ１０６）。
【００７８】
（４）オフモード移行中３０４
電源スイッチＬＥＤ１０８：点滅（低速）
ＯＦＦＭＯＤＥ−Ｐ信号の出力レベル：Ｈｉｇｈ
ＳＵＢＰＷＲＯＮ−Ｎ信号の出力レベル：Ｌｏｗ
【００７９】
ステップＳ１０５の後、オフモード移行中３０４の状態におけるパワーオフ制御部１０３には、電源スイッチ１０７からＰＷＲＳＷＯＮ−Ｎ信号（Ｌｏｗレベル）が入力される。これにより、パワーオフ制御部１０３は、電源オフされたことを検出して、電源スイッチＬＥＤ１０８を点滅させる。このオフモード移行中（３０４〜３０６）において、パワーオフ制御部１０３は、電源スイッチＬＥＤ１０８の点灯タイミングを制御して、点灯から次の点灯までの消灯時間を長くする（低速）。
【００８０】
また、電源オフされたことを検出したパワーオフ制御部１０３は、ＯＦＦＭＯＤＥ−Ｐ信号をＨｉｇｈレベルで省電力制御部１０４に出力する。これに応じて、省電力制御部１０４は、オフモードに移行する処理を開始し、省電力制御部１０４が出力するＡＵＴＯＯＦＦ＿ＯＫ−Ｐ信号（オフモードへの移行を許可する信号）を確認する。このＡＵＴＯＯＦＦ＿ＯＫ−Ｐ信号をＨｉｇｈレベルで検出したとき、パワーオフ制御部１０３は、『（５）オフモード移行中３０５』の状態に遷移する（ステップＳ１０７）。
【００８１】
（５）オフモード移行中３０５
電源スイッチＬＥＤ１０８：点滅（低速）
ＯＦＦＭＯＤＥ−Ｐ信号の出力レベル：Ｈｉｇｈ
ＳＵＢＰＷＲＯＮ−Ｎ信号の出力レベル：Ｌｏｗ
【００８２】
オフモード移行中３０５の状態におけるパワーオフ制御部１０３は、オフモードに移行中の省電力制御部１０４が出力するＰＯＷＥＲＳＡＶＥ−Ｎ信号を確認する。このＰＯＷＥＲＳＡＶＥ−Ｎ信号をＬｏｗレベルで検出したとき、パワーオフ制御部１０３は、『（６）オフモード移行中３０６』の状態に遷移する（ステップＳ１０８）。
【００８３】
ここで、ＡＵＴＯＯＦＦ＿ＯＫ−Ｐ信号をＨｉｇｈレベルで検出してから、５秒の間に、ＰＯＷＥＲＳＡＶＥ−Ｎ信号をＬｏｗレベルで検出しなかったとき、パワーオフ制御部１０３は、『（７）タイムアウトエラー３０７』の状態に遷移する（ステップＳ１１０）。
【００８４】
（６）オフモード移行中３０６
電源スイッチＬＥＤ１０８：点滅（低速）
ＯＦＦＭＯＤＥ−Ｐ信号の出力レベル：Ｈｉｇｈ
ＳＵＢＰＷＲＯＮ−Ｎ信号の出力レベル：Ｈｉｇｈ
【００８５】
オフモード移行中３０６の状態におけるパワーオフ制御部１０３は、ＳＵＢＰＷＲＯＮ−Ｎ信号をＨｉｇｈレベルで出力する。これにより、ＰｃｈＦＥＴ１０６がオフし、ＰｃｈＦＥＴ１０６のドレイン端子側の電圧は０Ｖとなる。ＰｃｈＦＥＴ１０６のドレイン端子側からＡＤコンバータ１１８に印加される電圧値が０となったとき（３．３ＶＳｉ電圧＝０Ｖ）、パワーオフ制御部１０３は、『（１）オフモード３０１』の状態に遷移する（ステップＳ１０９）。これにより、画像形成装置１はオフモードの状態になる。
【００８６】
ここで、ＰＯＷＥＲＳＡＶＥ−Ｎ信号をＬｏｗレベルで検出してから、２秒の間に、５Ｖｉｎ−Ｐ電圧の電圧値低下を検出しなかったとき、パワーオフ制御部１０３は、『（７）タイムアウトエラー３０７』の状態に遷移する（ステップＳ１１１）。
【００８７】
（７）タイムアウトエラー３０７
電源スイッチＬＥＤ１０８：点滅（高速）
ＯＦＦＭＯＤＥ−Ｐ信号の出力レベル：Ｈｉｇｈ
ＳＵＢＰＷＲＯＮ−Ｎ信号の出力レベル：Ｈｉｇｈ
【００８８】
この『（７）タイムアウトエラー３０７』の状態は、電源がオフされている状態であり、電源プラグを再度コンセントに差し込み後（ＡＣコードのＯＮ／ＯＦＦ後）に電源スイッチを押圧することで、オンモードへの復旧が可能な状態である。
【００８９】
図５を用いて、オンモードにおいて瞬断が発生し、メイン電源から検出する場合について説明する。
この図５は、図４のステップＳ１０１から、ステップＳ１０２、ステップＳ１０３、そして、ステップＳ１０４−１に至るまでの電圧値の変化および信号レベルを示すタイミングチャートである。
【００９０】
（Ｔ４０１）
Ｔ４０１は、ユーザによりプリンタ１の電源プラグが交流電源１０１（コンセント）に接続されたタイミングである。
これにより、サブ電源１１２（低圧電源１０２）から３．３ＶＳｏ電圧がパワーオフ制御部１０３に印加され（３．３ＶＳｏ電圧＝Ｈｉｇｈ）、ＰＷＲＳＷＯＮ−Ｎ信号が立ち上がり、抵抗器１１５によって３．３ＶＳｏ電圧までプルアップされる（ＰＷＲＳＷＯＮ−Ｎ信号＝Ｈｉｇｈ）。同様に、ＳＵＢＰＷＲＯＮ−Ｎ信号も立ち上がり、抵抗器１１７によって３．３ＶＳｏ電圧までプルアップされる（ＳＵＢＰＷＲＯＮ−Ｎ信号＝Ｈｉｇｈ）。これにより、プリンタ１は『（１）オフモード３０１』の状態に遷移する（図４のＳ１０１）。
【００９１】
（Ｔ４０２）
Ｔ４０２は、ユーザにより電源スイッチ１０７が押圧されたタイミングである（電源オン）。これにより、パワーオフ制御部１０３に入力されるＰＷＲＳＷＯＮ−Ｎ信号のレベルがＨｉｇｈからＬｏｗに変わり（ＰＷＲＳＷＯＮ−Ｎ信号＝Ｌｏｗ）、パワーオフ制御部１０３は電源スイッチ１０７が押圧されたことを検出する（図４のＳ１０２）。その後、ＰＷＲＳＷＯＮ−Ｎ信号のレベルは、ユーザに押圧されていた電源スイッチ１０７が開放されることで、ＬｏｗからＨｉｇｈに戻る。
ここで、電源スイッチ１０７が押圧されたことを検出したパワーオフ制御部１０３は、電源スイッチＬＥＤ１０８を点灯させる。
【００９２】
（Ｔ４０３）
Ｔ４０３は、電源スイッチ１０７が押圧されたことを検出したパワーオフ制御部１０３がＳＵＢＰＷＲＯＮ−Ｎ信号をＬｏｗレベルでＰｃｈＦＥＴ１０６のゲート端子に出力したタイミングである（ＳＵＢＰＷＲＯＮ−Ｎ信号＝Ｌｏｗ）。これにより、ＰｃｈＦＥＴ１０６はＯＮとなり、ドレイン端子から電流が流れ、ドレイン端子側の電位が立ち上がり、電位が３．３ＶＳｉとなる（３．３ＶＳｉ＝Ｈｉｇｈ）。この電圧がリセットＩＣ１１１と省電力制御部１０４とパワーオフ制御部１０３のＡＤコンバータ１１８とに印加される。これにより、プリンタ１は『（３）オンモード３０３』の状態に遷移する（図４のＳ１０３）。
【００９３】
（Ｔ４０４）
Ｔ４０４は、３．３ＶＳｉ電圧が印加されたリセットＩＣ１１１がＲＥＳＥＴ１−Ｎ信号をＨｉｇｈレベルで出力したタイミングである（ＲＥＳＥＴ１−Ｎ信号＝Ｈｉｇｈ）。このタイミングは、３．３ＶＳｉ電圧が立ち上がり始めてから約５００ｍｓｅｃ後の時である。
このＲＥＳＥＴ１−Ｎ信号がＨｉｇｈレベルで省電力制御部１０４に入力されることで、省電力制御部１０４のリセットが解除され、省電力制御部１０４が起動し処理を開始する。そしてまず、省電力制御部１０４は、ＰＯＷＥＲＳＡＶＥ−Ｎ信号をＨｉｇｈレベルで出力する（ＰＯＷＥＲＳＡＶＥ−Ｎ信号＝Ｈｉｇｈ）。このＰＯＷＥＲＳＡＶＥ−Ｎ信号が、リレー回路１１３とパワーオフ制御部１０３とに入力される。
【００９４】
さらに、ＰＯＷＥＲＳＡＶＥ−Ｎ信号がＨｉｇｈレベルでリレー回路１１３に入力されることで、リレー回路１１３はスイッチをオンにする。これにより、交流電源１０１とメイン電源１１４とが接続され、メイン電源１１４からは２４Ｖの電圧と、５Ｖの電圧とがプリンタ１の内部に印加される（２４Ｖ＝Ｈｉｇｈ、５Ｖ＝Ｈｉｇｈ）。さらに、５Ｖの電圧が印加されたＤＣ−ＤＣコンバータ１０９からプリンタ制御部１０５に３．３Ｖ電圧が印加される。これにより、プリンタ制御部１０５が起動可能な状態になる。
そして、５Ｖの電圧が、抵抗器１２３と抵抗器１２４とにより分圧された５Ｖｉｎ−Ｐ電圧がパワーオフ制御部１０３のＡＤコンバータ１１８に印加される（５Ｖｉｎ−Ｐ電圧＝Ｈｉｇｈ）。
【００９５】
（Ｔ４０５）
Ｔ４０５は、５Ｖの電圧が印加されたリセットＩＣ１１０がＲＥＳＥＴ２−Ｎ信号をＨｉｇｈレベルで出力したタイミングである（ＲＥＳＥＴ２−Ｎ信号＝Ｈｉｇｈ）。このタイミングは、５Ｖの電圧が立ち上がり始めてから約５００ｍｓｅｃ後の時である。
このＲＥＳＥＴ２−Ｎ信号がＨｉｇｈレベルでプリンタ制御部１０５に入力されることで、プリンタ制御部１０５のリセットが解除され、プリンタ制御部１０５が起動して処理を開始する。
これにより、プリンタ１は印刷モード（稼動状態）となり、プリンタ１は初期化動作を行った後、外部装置１３０から送信される印刷データを受け付け、画像処理を行う。
【００９６】
このとき、プリンタ１が正常時に『（３）オンモード３０３』における印刷モードで稼働しているときの各信号レベルと各電圧レベルとを以下に示す。
３．３ＶＳｏ電圧＝Ｈｉｇｈ
ＰＷＲＳＷＯＮ−Ｎ信号＝Ｈｉｇｈ
ＳＵＢＰＷＲＯＮ−Ｎ信号＝Ｌｏｗ
３．３ＶＳｉ電圧＝Ｈｉｇｈ
ＲＥＳＥＴ１−Ｎ信号＝Ｈｉｇｈ
ＰＯＷＥＲＳＡＶＥ−Ｎ信号＝Ｈｉｇｈ
２４Ｖ電圧＝Ｈｉｇｈ
５Ｖ電圧＝Ｈｉｇｈ
５Ｖｉｎ−Ｐ電圧＝Ｈｉｇｈ
ＲＥＳＥＴ２−Ｎ信号＝Ｈｉｇｈ
【００９７】
（Ｔ４０６：瞬断発生）
Ｔ４０６は、商用電源である交流電源１０１で瞬断が発生したタイミングである。
瞬断が発生したことにより、メイン電源１１４から印加される２４Ｖ電圧および５Ｖ電圧の値が下がる。これにより、５Ｖ電圧が印加されるリセットＩＣ１１０が電圧値の変化（電圧低下）を検出して、ＲＥＳＥＴ２−Ｎ信号をＬｏｗレベルで出力する（ＲＥＳＥＴ２−Ｎ信号＝Ｌｏｗ）。
このＲＥＳＥＴ２−Ｎ信号がＬｏｗレベルでプリンタ制御部１０５に入力されることで、プリンタ制御部１０５はリセットする。なお、瞬断状態であっても、サブ電源１１２は、出力電圧を発生しているので、ＲＥＳＥＴ１−Ｎ信号はＨｉｇｈレベルのままである。
【００９８】
（Ｔ４０７）
Ｔ４０７は、ＡＤコンバータ１１８に印加される５Ｖｉｎ−Ｐ電圧の値が下がったこと（５Ｖｉｎ−Ｐ電圧＝電圧低下）を、パワーオフ制御部１０３が検出したタイミングである。パワーオフ制御部１０３は、ＰＯＷＥＲＳＡＶＥ−Ｎ信号がＨｉｇｈレベルであるにもかかわらず、５Ｖｉｎ−Ｐ電圧の電圧低下を検出したことで、『瞬断対応処理』を開始する。
これにより、『（１）オフモード３０１』へと移行する（図４のＳ１０４−１）。
【００９９】
５Ｖｉｎ−Ｐ電圧の電圧低下を検出したパワーオフ制御部１０３は、ＳＵＢＰＷＲＯＮ−Ｎ信号をＨｉｇｈレベルでＰｃｈＦＥＴ１０６のゲート端子に出力する（ＳＵＢＰＷＲＯＮ−Ｎ信号＝Ｈｉｇｈ）。これにより、ＰｃｈＦＥＴ１０６はＯＦＦとなり、ドレイン端子から電流が流れない。そのため、ドレイン端子側の電位が下がり、そのうち電位が０になる（３．３ＶＳｉ＝Ｌｏｗ）。この３．３ＶＳｉ電圧が印加されるリセットＩＣ１１１が電圧値の変化（電圧低下）を検出して、ＲＥＳＥＴ１−Ｎ信号をＬｏｗレベルで出力する（ＲＥＳＥＴ１−Ｎ信号＝Ｌｏｗ）。
【０１００】
このＲＥＳＥＴ１−Ｎ信号がＬｏｗレベルで省電力制御部１０４に入力されることで、省電力制御部１０４はリセットする。これにより、省電力制御部１０４はＰＯＷＥＲＳＡＶＥ−Ｎ信号の出力を停止する（Ｌｏｗ）。
このＰＯＷＥＲＳＡＶＥ−Ｎ信号が停止したことをリレー回路１１３とパワーオフ制御部１０３とは検知する（ＰＯＷＥＲＳＡＶＥ−Ｎ信号＝Ｌｏｗ）。
そして、リレー回路１１３はスイッチをオフにする。これにより、交流電源１０１とメイン電源１１４とが切断され、メイン電源１１４から電圧が印加されなくなる（２４Ｖ＝Ｌｏｗ、５Ｖ＝Ｌｏｗ）。図５のＴ４０７では、瞬断から立ち上がりかけていた２４Ｖ電圧および５Ｖ電圧が、リレー回路１１３のスイッチオフにより、再立ち上がりが抑止された状態を示している。
【０１０１】
このように、リレー回路１１３のスイッチオフにより、再立ち上がりが抑止されるため、リセットＩＣ１１０がＲＥＳＥＴ２−Ｎ信号をＨｉｇｈレベルで出力するための電力が供給されない。これにより、プリンタ制御部１０５はリセットされたままとなる。すなわち、Ｔ４０６でリセットされたままとなる。
これにより、瞬断発生後に回復して再び電圧が立ち上がったときに、プリンタ制御部１０５のリセットが解除されることによる、プリンタ１（プリンタ制御部１０５）が実行する不要な初期化動作が防止される。
【０１０２】
図５では、オンモードにおいて瞬断が発生し、メイン電源１１４から印加される電圧の低下をパワーオフ制御部１０３が検出する場合について説明した。この図５において、瞬断時であっても、サブ電源１１２の出力電圧が３．３Ｖに維持されており、３．３ＶＳｉはＰｃｈＦＥＴ１０６がオフになるまでＨｉｇｈレベルであった。
【０１０３】
そこで、図６を用いて、印刷モード（オンモード）において瞬断が発生し、サブ電源１１２から印加される電圧（３．３ＶＳｏ電圧）の低下をパワーオフ制御部１０３が検出する場合について説明する。この図６において、瞬断時にサブ電源１１２の出力電圧、およびメイン電源１１４の出力電圧が低下するとする。
この図６における初期状態は、プリンタ１が印刷モードで稼動している状態であり、図５のタイミングチャートにおける時間Ｔのときと同様の状態である。
【０１０４】
（Ｔ５０１：瞬断発生）
Ｔ５０１は、商用電源である交流電源１０１で瞬断が発生したタイミングである。
瞬断が発生したことにより、サブ電源１１２から印加される３．３ＶＳｏ電圧の値が下がる（３．３ＶＳｏ電圧＝電圧低下）。パワーオフ制御部１０３は、３．３ＶＳｏ電圧の電圧低下を検出したことで、『瞬断対応処理』を開始する。
これにより、『（１）オフモード３０１』へと移行する（図４のＳ１０４−２）。
【０１０５】
まず、３．３ＶＳｏ電圧の電圧低下を検出したパワーオフ制御部１０３は、ＳＵＢＰＷＲＯＮ−Ｎ信号をＨｉｇｈレベルでＰｃｈＦＥＴ１０６のゲート端子に出力する（ＳＵＢＰＷＲＯＮ−Ｎ信号＝Ｈｉｇｈ）。これにより、ＰｃｈＦＥＴ１０６はＯＦＦとなり、ドレイン端子から電流が流れない。そのため、ドレイン端子側の電位が下がり、そのうち電位が０になる（３．３ＶＳｉ＝Ｌｏｗ）。この３．３ＶＳｉ電圧が印加されるリセットＩＣ１１１が電圧値の変化（電圧低下）を検出して、ＲＥＳＥＴ１−Ｎ信号をＬｏｗレベルで出力する（ＲＥＳＥＴ１−Ｎ信号＝Ｌｏｗ）。
【０１０６】
このＲＥＳＥＴ１−Ｎ信号がＬｏｗレベルで省電力制御部１０４に入力されることで、省電力制御部１０４はリセットする。これにより、省電力制御部１０４はＰＯＷＥＲＳＡＶＥ−Ｎ信号の出力を停止する（Ｌｏｗ）。
このＰＯＷＥＲＳＡＶＥ−Ｎ信号が停止したことを、リレー回路１１３とパワーオフ制御部１０３とは検知する（ＰＯＷＥＲＳＡＶＥ−Ｎ信号＝Ｌｏｗ）。
そして、リレー回路１１３はスイッチをオフにする。これにより、交流電源１０１とメイン電源１１４とが切断され、メイン電源１１４から電圧が印加されなくなる（２４Ｖ＝Ｌｏｗ、５Ｖ＝Ｌｏｗ）。図５のＴ４０７では、瞬断から立ち上がりかけていた２４Ｖ電圧および５Ｖ電圧が、リレー回路１１３のスイッチオフにより、再立ち上がりが抑止された状態を示している。
【０１０７】
（Ｔ５０２：回復）
Ｔ５０２は、瞬断後に回復したタイミングである。
すでに、リレー回路１１３のスイッチはオフであるため、メイン電源１１４から電圧が印加されない（２４Ｖ＝Ｌｏｗ、５Ｖ＝Ｌｏｗ）。図６のＴ５０２では、瞬断から回復したものの、２４Ｖ電圧および５Ｖ電圧の再立ち上がりが行われない状態を示している。
【０１０８】
このように、リレー回路１１３のスイッチオフにより、再立ち上がりが行われないため、リセットＩＣ１１０がＲＥＳＥＴ２−Ｎ信号をＨｉｇｈレベルで出力するための電力が供給されない。これにより、プリンタ制御部１０５はリセットされたままとなる。すなわち、Ｔ５０１でリセットされたままとなる。
これにより、瞬断発生後に回復して再び電圧が立ち上がったときに、プリンタ制御部１０５のリセットが解除されることによる、プリンタ１（プリンタ制御部１０５）が実行する不要な初期化動作が防止される。
【０１０９】
図６では、印刷モード（オンモード）において瞬断が発生した場合について説明したが、図７では、省電力モード（オンモード）において瞬断が発生した場合について説明する。この図７において、サブ電源１１２から印加される電圧（３．３ＶＳｏ電圧）の低下をパワーオフ制御部１０３が検出する場合について説明する。
この図７における初期状態は、プリンタ１は印刷モードで稼動している状態であり、図５のタイミングチャートにおける時間ｔのときと同様の状態である。
【０１１０】
（Ｔ６０１）
Ｔ６０１は、省電力制御部１０４がタイマ１２５を用いて計測した時間が、所定時間が経過したことにより、省電力モードに移行するタイミングである。
まず、省電力制御部１０４は、ＰＯＷＥＲＳＡＶＥ−Ｎ信号をＬｏｗレベルで出力する（ＰＯＷＥＲＳＡＶＥ−Ｎ信号＝Ｌｏｗ）。このＰＯＷＥＲＳＡＶＥ−Ｎ信号が、リレー回路１１３とパワーオフ制御部１０３とに入力される。
【０１１１】
さらに、ＰＯＷＥＲＳＡＶＥ−Ｎ信号がＬｏｗレベルでリレー回路１１３に入力されることで、リレー回路１１３はスイッチをオフにする。これにより、交流電源１０１とメイン電源１１４とが切断され、メイン電源１１４から電圧が印加されなくなる（２４Ｖ＝Ｌｏｗ、５Ｖ＝Ｌｏｗ）。
【０１１２】
リレー回路１１３のスイッチオフにより、リセットＩＣ１１０にはＲＥＳＥＴ２−Ｎ信号をＨｉｇｈレベルで出力するための電力が供給されない。これにより、リセットＩＣ１１０はプリンタ制御部１０５へのＲＥＳＥＴ２−Ｎ信号の出力を停止する（ＲＥＳＥＴ２−Ｎ信号＝Ｌｏｗ）。
【０１１３】
このとき、プリンタ１が正常時に『（３）オンモード３０３』における省電力モードで稼働しているときの各信号レベルと各電圧レベルとを以下に示す。
３．３ＶＳｏ電圧＝Ｈｉｇｈ
ＰＷＲＳＷＯＮ−Ｎ信号＝Ｈｉｇｈ
ＳＵＢＰＷＲＯＮ−Ｎ信号＝Ｌｏｗ
３．３ＶＳｉ電圧＝Ｈｉｇｈ
ＲＥＳＥＴ１−Ｎ信号＝Ｈｉｇｈ
ＰＯＷＥＲＳＡＶＥ−Ｎ信号＝Ｌｏｗ
２４Ｖ電圧＝Ｌｏｗ
５Ｖ電圧＝Ｌｏｗ
５Ｖｉｎ−Ｐ電圧＝Ｌｏｗ
ＲＥＳＥＴ２−Ｎ信号＝Ｌｏｗ
【０１１４】
（Ｔ６０２）
Ｔ６０２は、商用電源である交流電源１０１で瞬断が発生したタイミングである。
瞬断が発生したことにより、サブ電源１１２から印加される３．３ＶＳｏ電圧の値が下がる（３．３ＶＳｏ電圧＝電圧低下）。パワーオフ制御部１０３は、３．３ＶＳｏ電圧の電圧低下を検出したことで、『瞬断対応処理』を開始する。
これにより、『（１）オフモード３０１』へと移行する（図４のＳ１０４−２）。
【０１１５】
まず、３．３ＶＳｏ電圧の電圧低下を検出したパワーオフ制御部１０３は、ＳＵＢＰＷＲＯＮ−Ｎ信号をＨｉｇｈレベルでＰｃｈＦＥＴ１０６のゲート端子に出力する（ＳＵＢＰＷＲＯＮ−Ｎ信号＝Ｈｉｇｈ）。これにより、ＰｃｈＦＥＴ１０６はＯＦＦとなり、ドレイン端子から電流が流れない。そのため、ドレイン端子側の電位が下がり、そのうち電位が０になる（３．３ＶＳｉ＝Ｌｏｗ）。この３．３ＶＳｉ電圧が印加されるリセットＩＣ１１１が電圧値の変化（電圧低下）を検出して、ＲＥＳＥＴ１−Ｎ信号をＬｏｗレベルで出力する（ＲＥＳＥＴ１−Ｎ信号＝Ｌｏｗ）。
【０１１６】
このＲＥＳＥＴ１−Ｎ信号がＬｏｗレベルで省電力制御部１０４に入力されることで、省電力制御部１０４はリセットする。これにより、省電力制御部１０４はＰＯＷＥＲＳＡＶＥ−Ｎ信号の出力を停止する。このＰＯＷＥＲＳＡＶＥ−Ｎ信号が停止したことをリレー回路１１３とパワーオフ制御部１０３とは検知する（ＰＯＷＥＲＳＡＶＥ−Ｎ信号＝Ｌｏｗ）。
そして、リレー回路１１３はスイッチをオフにする。これにより、交流電源１０１とメイン電源１１４とが切断され、メイン電源１１４から電圧が印加されなくなる（２４Ｖ＝Ｌｏｗ、５Ｖ＝Ｌｏｗ）。図５のＴ４０７では、瞬断から立ち上がりかけていた２４Ｖ電圧および５Ｖ電圧が、リレー回路１１３のスイッチオフにより、再立ち上がりが抑止された状態を示している。
【０１１７】
（Ｔ６０３：回復）
Ｔ６０３は、瞬断後に回復したタイミングである。
すでに、リレー回路１１３のスイッチはオフであるため、メイン電源１１４から電圧が印加されない（２４Ｖ＝Ｌｏｗ、５Ｖ＝Ｌｏｗ）。図７のＴ６０３では、瞬断から回復したものの、２４Ｖ電圧および５Ｖ電圧の再立ち上がりが行われない状態を示している。
【０１１８】
このように、リレー回路１１３のスイッチオフにより、再立ち上がりが行われないため、リセットＩＣ１１０がＲＥＳＥＴ２−Ｎ信号をＨｉｇｈレベルで出力するための電力が供給されない。これにより、プリンタ制御部１０５はリセットされたままとなる。すなわち、Ｔ５０１でリセットされたままとなる。
これにより、瞬断発生後に回復して再び電圧が立ち上がったときに、プリンタ制御部１０５のリセットが解除されることによる、プリンタ１（プリンタ制御部１０５）が実行する不要な初期化動作が防止される。
【０１１９】
省電力モードにおいて瞬断が発生した場合、図６に示すように、パワーオフ制御部１０３には、サブ電源１１２からの電力供給が一瞬停止し、回復後に再び電力供給が行われるようになる。このとき、パワーオフ制御部１０３は、瞬断から回復後に再び電力供給が行われる場合であっても、ユーザにより画像形成装置１の電源プラグが交流電源１０１（コンセント）に接続されて、サブ電源１１２から電力が供給された場合と同様に、画像形成装置１の状態をオフモードにするよう動作する。
【０１２０】
≪第２の実施形態≫
第２の実施形態に係る画像形成装置１Ａについて説明する。
画像形成装置１Ａは、図８に示すように、第１の実施形態に係る画像形成装置１が備えるパワーオフ制御部１０３Ａとプリンタ制御部１０５Ａとの間が接続された構成である。ここで、第１の実施形態に係る画像形成装置１が備えるプリンタ制御部１０５Ａおよびパワーオフ制御部１０３Ａとは、一部機能が異なるため、プリンタ制御部１０５Ａ、パワーオフ制御部１０３Ａとした。
その他の構成は同様なので、説明を便宜的に省略する。
【０１２１】
前記したように第１の実施形態に係る画像形成装置１は、電圧低下を検出したとき、メイン電源１１４からの電力供給を停止することで初期化動作を阻止した。この第２の実施形態に係る画像形成装置１Ａは、初期化動作を行わせないようにプリンタ制御部１０５Ａを制御する。具体的には、プリンタ制御部１０５Ａに初期化動作を実行させない信号（ＩＮＩＴＯＦＦ−Ｐ信号）を出力する。
【０１２２】
図８に示すように、パワーオフ制御部１０３Ａとプリンタ制御部１０５Ａとは、パワーオフ制御部１０３Ａから出力されるＩＮＩＴＯＦＦ−Ｐ信号が送信されるラインと、プリンタ制御部１０５Ａから出力されるＩＮＩＴＣＬＲ−Ｐ信号が送信されるラインとで接続される。
【０１２３】
ＩＮＩＴＯＦＦ−Ｐ信号が送信される信号線は、抵抗器７０１を介して、ＤＣ−ＤＣコンバータ１０９とプリンタ制御部１０５Ａとを接続するラインに接続される。このパワーオフ制御部１０３Ａから出力されるＩＮＩＴＯＦＦ−Ｐ信号は、抵抗器７０１によって３．３Ｖ電圧にプルアップされてプリンタ制御部１０５Ａに入力される。
【０１２４】
（パワーオフ制御部１０３Ａ）
パワーオフ制御部１０３Ａは、瞬断を検出したときに、ＩＮＩＴＯＦＦ−Ｐ信号をプリンタ制御部１０５Ａに出力する。このパワーオフ制御部１０３Ａの処理の詳細については後記する（図９）。
その他の機能は第１の実施形態におけるパワーオフ制御部１０３と同様なので、説明を便宜的に省略する。
【０１２５】
（プリンタ制御部１０５Ａ）
プリンタ制御部１０５Ａは、画像形成装置１が、後記する『（８）オンモード移行中８０１』の状態において、パワーオフ制御部１０３ＡからＩＮＩＴＯＦＦ−Ｐ信号をＨｉｇｈレベルで受信しなかったとき（ＩＮＩＴＯＦＦ−Ｐ信号＝Ｌｏｗ）、初期動作を行う。
一方、パワーオフ制御部１０３ＡからＩＮＩＴＯＦＦ−Ｐ信号をＨｉｇｈレベルで受信したとき、その応答信号として、ＩＮＩＴＣＬＲ−Ｐ信号をＨｉｇｈレベルで１００ｍｓ間出力し、その後、Ｌｏｗレベルで出力する。
その他の機能は第１の実施形態におけるプリンタ制御部１０５と同様なので、説明を便宜的に省略する。
【０１２６】
図９を用いてパワーオフ制御部１０３Ａが行う処理について説明する。
図９に示すように、パワーオフ制御部１０３Ａは、図４に示す第１の実施形態における（１）〜（７）に、さらに『（８）オンモード移行中８０１』を含む８つの状態に遷移する。
特に、図４に示す第１の実施形態に係るパワーオフ制御部１０３が行う処理と異なり、第２の実施形態に係るパワーオフ制御部１０３Ａは、図９に示すように、「（３）オンモード３０３」の状態から、ステップＳ１０４−１（図４）、ステップＳ１０４−２（図４）の代わりに、ステップＳ１０４−１Ａ（図９）、ステップＳ１０４−２Ａ（図９）を実行して、『（８）オンモード移行中８０１』の状態に遷移する。
【０１２７】
（８）オンモード移行中８０１
電源スイッチＬＥＤ１０８：点灯
ＯＦＦＭＯＤＥ−Ｐ信号の出力レベル：Ｈｉｇｈ
ＳＵＢＰＷＲＯＮ−Ｎ信号の出力レベル：Ｈｉｇｈ
【０１２８】
ステップＳ１０４−１ＡまたはステップＳ１０４−１Ｂの後、パワーオフ制御部１０３Ａがオンモード移行中８０１の状態となってから２ｓｅｃの間に、ＡＤコンバータ１１８に印加される３．３ＶＳｉ電圧の値が下がったこと（５ＶＳｉ電圧＝電圧低下）を、パワーオフ制御部１０３Ａが検出した場合、『（２）オンモード移行中３０２』の状態に遷移する（ステップＳ１１０１）。
一方、パワーオフ制御部１０３Ａがオンモード移行中８０１の状態となってから２ｓｅｃの間に、ＡＤコンバータ１１８に印加される３．３ＶＳｉ電圧の値が下がったこと（５ＶＳｉ電圧＝電圧低下）を、パワーオフ制御部１０３Ａが検出できなかった場合、『（７）タイムアウトエラー３０７』の状態に遷移する（ステップＳ１１０２）。
【０１２９】
図１０は、図９に示す処理とは別の処理としてパワーオフ制御部１０３Ａが行う瞬断検出処理について説明する。
図１０に示すように、瞬断検出処理を行うパワーオフ制御部１０３Ａは、各状態において、検出したデータや入力される指示に応じて、以下の２つの状態に遷移する。
（１１）瞬断非検出状態９０１
（１２）瞬断検出状態９０２
【０１３０】
各状態について説明する。
まず、ユーザにより画像形成装置１のＡＣコード（不図示）が交流電源１０１に接続され、サブ電源１１２（電源部１０２）から３．３ＶＳｏ電圧がパワーオフ制御部１０３Ａに印加されたとき、パワーオフ制御部１０３Ａは起動して、『（１）オフモード３０１』の状態に遷移する（ステップＳ１０１）。これにより、画像形成装置１は「オフモード」の状態になる。
【０１３１】
（１１）瞬断非検出状態９０１
ＩＮＩＴＯＦＦ−Ｐ信号の出力レベル：Ｌｏｗ
【０１３２】
ステップＳ１０１の処理で遷移したオフモード３０１の状態において（図９）、パワーオフ制御部１０３Ａは、ＩＮＩＴＯＦＦ−Ｐ信号をＬｏｗ出力する。
【０１３３】
ここで、パワーオフ制御部１０３Ａは、次の２つのパターン（パターン１、パターン２）の場合に、ステップＳ１０４−１Ａ、ステップＳ１０４−２Ａを実行して、『（１２）瞬断検出状態９０２』の状態に遷移する。
【０１３４】
（パターン１）
パワーオフ制御部１０３Ａは、省電力制御部１０４が出力するＰＯＷＥＲＳＡＶＥ−Ｎ信号がＨｉｇｈレベルのときに（印刷モード時）、ＡＤコンバータ１１８に印加される、抵抗器１２３と抵抗器１２４とで分圧された電圧（５Ｖｉｎ−Ｐ）の電圧値が低下したことを検出したとき、『（１２）瞬断検出状態９０２』の状態に遷移する（ステップＳ１０４−１Ａ）。このステップＳ１０４−１Ａの処理の詳細については後記する（図５）。
【０１３５】
（パターン２）
パワーオフ制御部１０３Ａは、省電力制御部１０４が出力するＰＯＷＥＲＳＡＶＥ−Ｎ信号がＬｏｗレベルのときに（省電力モード時）、ＰｃｈＦＥＴ１０６のドレイン端子からＡＤコンバータ１１８に印加される３．３ＶＳｉ電圧の電圧値が低下したことを検出したとき、『（１２）瞬断検出状態９０２』の状態に遷移する（ステップＳ１０４−２Ａ）。このステップＳ１０４−２Ａの処理の詳細については後記する（図６、図７）。
【０１３６】
（１２）瞬断検出状態９０２
ＩＮＩＴＯＦＦ−Ｐ信号の出力レベル：Ｈｉｇｈ
【０１３７】
ステップＳ１０４−１ＡまたはステップＳ１０４−２Ａの処理で遷移した瞬断検出状態９０２において、パワーオフ制御部１０３Ａは、まず、ＩＮＩＴＯＦＦ−Ｐ信号をＨｉｇｈレベルで出力する。
これにより、プリンタ制御部１０５Ａは、パワーオフ制御部１０３ＡからＩＮＩＴＯＦＦ−Ｐ信号をＨｉｇｈレベルで受信したことの応答信号として、ＩＮＩＴＣＬＲ−Ｐ信号をＨｉｇｈレベルで出力する。
そして、パワーオフ制御部１０３Ａは、ＩＮＩＴＣＬＲ−Ｐ信号をＨｉｇｈレベルで受信したとき、『（１１）瞬断非検出状態９０１』の状態に遷移する（ステップＳ１２０４）。
【０１３８】
図１１はプリンタ制御部１０５Ａの初期化動作の実行判断処理を示すフローチャートである。この実行判断処理は、『（８）オンモード移行中８０１』（図９）の状態のときに行われる処理である。
まず、プリンタ制御部１０５Ａは、『（８）オンモード移行中８０１』（図９）の状態のときに、パワーオフ制御部１０３ＡからＩＮＩＴＯＦＦ−Ｐ信号をＨｉｇｈレベルで受信したか否かを判定する（ステップＳ１００１）。
【０１３９】
ここでＩＮＩＴＯＦＦ−Ｐ信号をＨｉｇｈレベルで受信しなかったとき（ステップＳ１００１，Ｎｏ）、プリンタ制御部１０５Ａは初期動作を行う（ステップＳ１００２）。そして処理を終了する。
【０１４０】
一方、パワーオフ制御部１０３ＡからＩＮＩＴＯＦＦ−Ｐ信号をＨｉｇｈレベルで受信したとき（ステップＳ１００１，Ｙｅｓ）、プリンタ制御部１０５Ａは、その応答信号として、ＩＮＩＴＣＬＲ−Ｐ信号を１００ｍｓｅｃの間、Ｈｉｇｈレベルで出力し（ステップＳ１００３）、その後、Ｌｏｗレベルで出力する。そして処理を終了する。
【０１４１】
図１２を用いて、オンモードにおいて瞬断が発生し、メイン電源から検出する場合について説明する。
図１２におけるＴ１４０１からＴ１４０６（瞬断発生）までは、図５におけるＴ４０１からＴ４０６（瞬断発生）までと同じであるため、説明を省略する。
【０１４２】
（Ｔ１４０７）
Ｔ１４０７は、図５におけるＴ４０７と同様に、ＡＤコンバータ１１８に印加される５Ｖｉｎ−Ｐ電圧の値が下がったこと（５Ｖｉｎ−Ｐ電圧＝電圧低下）を、パワーオフ制御部１０３Ａが検出したタイミングである。パワーオフ制御部１０３Ａは、ＰＯＷＥＲＳＡＶＥ−Ｎ信号がＨｉｇｈであるにもかかわらず、５Ｖｉｎ−Ｐ電圧の電圧低下を検出したことで、『瞬断対応処理』を開始する。
これにより、『（８）オンモード移行中８０１』へと移行する（図９のＳ１０４−１Ａ）。
【０１４３】
＜１．メイン電源遮断処理＞
５Ｖｉｎ−Ｐ電圧の電圧低下を検出したパワーオフ制御部１０３Ａは、ＳＵＢＰＷＲＯＮ−Ｎ信号をＨｉｇｈでＰｃｈＦＥＴ１０６のゲート端子に出力する（ＳＵＢＰＷＲＯＮ−Ｎ信号＝Ｈｉｇｈ）。これにより、ＰｃｈＦＥＴ１０６はＯＦＦとなり、ドレイン端子から電流が流れない。そのため、ドレイン端子側の電位が下がり、そのうち電位が０になる（３．３ＶＳｉ＝Ｌｏｗ）。この３．３ＶＳｉ電圧が印加されるリセットＩＣ１１１が電圧値の変化（電圧低下）を検出して、ＲＥＳＥＴ１−Ｎ信号をＬｏｗで出力する（ＲＥＳＥＴ１−Ｎ信号＝Ｌｏｗ）。
【０１４４】
このＲＥＳＥＴ１−Ｎ信号がＬｏｗで省電力制御部１０４に入力されることで、省電力制御部１０４はリセットする。これにより、省電力制御部１０４はＰＯＷＥＲＳＡＶＥ−Ｎ信号の出力を停止する。
このＰＯＷＥＲＳＡＶＥ−Ｎ信号が停止したことをリレー回路１１３とパワーオフ制御部１０３Ａとは検知する（ＰＯＷＥＲＳＡＶＥ−Ｎ信号＝Ｌｏｗ）。
そして、リレー回路１１３はスイッチをオフにする。これにより、交流電源１０１とメイン電源１１４とが切断され、メイン電源１１４から電圧が印加されなくなる（２４Ｖ＝Ｌｏｗ、５Ｖ＝Ｌｏｗ）。図５のＴ４０７では、瞬断から立ち上がりかけていた２４Ｖ電圧および５Ｖ電圧が、リレー回路１１３のスイッチオフにより、再立ち上がりが抑止された状態を示している。
【０１４５】
＜２．初期化動作の実行判断処理＞
５Ｖｉｎ−Ｐ電圧の電圧低下を検出したパワーオフ制御部１０３Ａは、初期化動作の実行判断処理を実行する。これにより、パワーオフ制御部１０３Ａは、『（１２）瞬断検出状態９０２』の状態に遷移する。
まず、パワーオフ制御部１０３Ａは、ＩＮＩＴＯＦＦ−Ｐ信号をＨｉｇｈレベルで出力する。
【０１４６】
Ｔ１４０７の後、パワーオフ制御部１０３Ａが、ＳＵＢＰＷＲＯＮ−Ｎ信号をＨｉｇｈレベルでＰｃｈＦＥＴ１０６のゲート端子に出力する（ＳＵＢＰＷＲＯＮ−Ｎ信号＝Ｈｉｇｈ）ことにより、ＰｃｈＦＥＴ１０６はＯＦＦとなり、ドレイン端子から電流が流れない。そのため、ドレイン端子側の電位が下がり、そのうち電位が０になる（３．３ＶＳｉ＝Ｌｏｗ）。
【０１４７】
（Ｔ１４０８）
Ｔ１４０８は、ＡＤコンバータ１１８に印加される３．３ＶＳｉ電圧の値が下がったこと（５ＶＳｉ電圧＝電圧低下）を、パワーオフ制御部１０３Ａが検出したタイミングである（ステップＳ１１０１）。これにより、パワーオフ制御部１０３Ａは、『（２）オンモード移行中３０２』の状態に遷移する。
そして、オンモード移行中３０２の状態におけるパワーオフ制御部１０３Ａは、ＳＵＢＰＷＲＯＮ−Ｎ信号をＬｏｗレベルで出力する（ＳＵＢＰＷＲＯＮ−Ｎ信号＝Ｌｏｗ）。
【０１４８】
（Ｔ１４０９からＴ１４１０まで）
図１２におけるＴ１４０９からＴ１４１０までは、図５におけるＴ４０４からＴ４０５までと同じである。
【０１４９】
（Ｔ１４０９）
Ｔ１４０９は、３．３ＶＳｉ電圧が印加されたリセットＩＣ１１１がＲＥＳＥＴ１−Ｎ信号をＨｉｇｈレベルで出力したタイミングである（ＲＥＳＥＴ１−Ｎ信号＝Ｈｉｇｈ）。このタイミングは、３．３ＶＳｉ電圧が立ち上がり始めてから約５００ｍｓｅｃ後の時である。
このＲＥＳＥＴ１−Ｎ信号がＨｉｇｈレベルで省電力制御部１０４に入力されることで、省電力制御部１０４のリセットが解除され、省電力制御部１０４が起動し処理を開始する。そしてまず、省電力制御部１０４は、ＰＯＷＥＲＳＡＶＥ−Ｎ信号をＨｉｇｈレベルで出力する（ＰＯＷＥＲＳＡＶＥ−Ｎ信号＝Ｈｉｇｈ）。このＰＯＷＥＲＳＡＶＥ−Ｎ信号が、リレー回路１１３とパワーオフ制御部１０３Ａとに入力される。
【０１５０】
さらに、ＰＯＷＥＲＳＡＶＥ−Ｎ信号がＨｉｇｈレベルでリレー回路１１３に入力されることで、リレー回路１１３はスイッチをオンにする。これにより、交流電源１０１とメイン電源１１４とが接続され、メイン電源１１４からは２４Ｖの電圧と、５Ｖの電圧とがプリンタ１の内部に印加される（２４Ｖ＝Ｈｉｇｈ、５Ｖ＝Ｈｉｇｈ）。さらに、５Ｖの電圧が印加されたＤＣ−ＤＣコンバータ１０９からプリンタ制御部１０５Ａに３．３Ｖ電圧が印加される。これにより、プリンタ制御部１０５Ａが起動可能な状態になる。
そして、５Ｖの電圧が、抵抗器１２３と抵抗器１２４とにより分圧された５Ｖｉｎ−Ｐ電圧がパワーオフ制御部１０３ＡのＡＤコンバータ１１８に印加される（５Ｖｉｎ−Ｐ電圧＝Ｈｉｇｈ）。
【０１５１】
（Ｔ１４１０）
Ｔ１４１０は、５Ｖの電圧が印加されたリセットＩＣ１１０がＲＥＳＥＴ２−Ｎ信号をＨｉｇｈレベルで出力したタイミングである（ＲＥＳＥＴ２−Ｎ信号＝Ｈｉｇｈ）。このタイミングは、５Ｖの電圧が立ち上がり始めてから約５００ｍｓｅｃ後の時である。
このＲＥＳＥＴ２−Ｎ信号がＨｉｇｈレベルでプリンタ制御部１０５Ａに入力されることで、プリンタ制御部１０５Ａのリセットが解除され、プリンタ制御部１０５Ａが起動して処理を開始する。
これにより、プリンタ１は印刷モード（稼動状態）となり、プリンタ１は初期化動作を行った後、外部装置１３０から送信される印刷データを受け付け、画像処理を行う。
【０１５２】
（Ｔ１４１１）＜２．初期化動作の実行判断処理＞
Ｔ１４１１は、プリンタ制御部１０５Ａが、パワーオフ制御部１０３ＡからＩＮＩＴＯＦＦ−Ｐ信号をＨｉｇｈレベルで受信したことの応答信号として、ＩＮＩＴＣＬＲ−Ｐ信号をＨｉｇｈレベルで出力したタイミングである（図１０のステップＳ１２０４）。プリンタ制御部１０５Ａは、このＩＮＩＴＣＬＲ−Ｐ信号を１００ｍｓｅｃの間、Ｈｉｇｈレベルで出力し、その後、Ｌｏｗレベルで出力する。
【０１５３】
（Ｔ１４１２）＜２．初期化動作の実行判断処理＞
Ｔ１４１２は、パワーオフ制御部１０３Ａが、プリンタ制御部１０５ＡからＩＮＩＴＣＬＲ−Ｐ信号をＨｉｇｈレベルで受信したタイミングである。パワーオフ制御部１０３Ａは、ＩＮＩＴＯＦＦ−Ｐ信号をＨｉｇｈからＬｏｗに変えて（ＰＷＲＳＷＯＮ−Ｎ信号＝Ｌｏｗ）出力する。
【０１５４】
以上のように、第２の実施形態の画像形成装置１Ａは、プリンタ制御部１０５Ａに初期化動作を実行させない信号（ＩＮＩＴＯＦＦ−Ｐ信号）を用いた構成である。
この第２の実施形態の画像形成装置１Ａによれば、商用電源である交流電源１０１にて瞬断が発生し、メイン電源１１４から印加される電圧の低下をパワーオフ制御部１０３が検出したときに、省電力制御部１０４に印加される３．３ＶＳｉ電圧をオフする。そして、画像形成装置１Ａを再起動させる。この再起動が行われる前に、瞬断を検出したことを通知する信号であるＩＮＩＴＯＦＦ−Ｐ信号を追加しプリンタ制御部１０５Ａに送信しておくことで、再起動後にプリンタ制御部１０５Ａは初期化動作を実行しない。
これにより、瞬断発生時におこる再起動での不要な初期化動作による消耗品の使用を阻止できる。また、ユーザが電源スイッチ１０７を押圧することなく、画像形成装置１Ａは再起動できる。
【０１５５】
本発明は、前記した実施形態に限定されることなく、本発明の要旨を逸脱しない範囲で種々の変更や変形を行うことができる。例えば、サブ電源１１２は、変換した直流電力を蓄電するバッテリを備えていてもよい。
【符号の説明】
【０１５６】
１      画像形成装置（電気機器）
４      ネットワーク
１０    制御部
１５    通信制御部
１６    画像処理部（動作部）
２０    画像形成部（動作部）
３０    記憶部
４０    通信部
１０１  交流電源（商用電源）
１０２  電源部
１０３  パワーオフ制御部（第１の制御部）
１０４  省電力制御部（第２の制御部）
１０５  プリンタ制御部（動作部）
１０６  ＰｃｈＦＥＴ（第１の供給制御手段）
１０７  電源スイッチ（スイッチ手段）
１０８  電源スイッチＬＥＤ
１０９  ＤＣ−ＤＣコンバータ
１１０  リセットＩＣ（第一リセット部）
１１１  リセットＩＣ（第二リセット部）
１１２  サブ電源（補助電源）
１１３  リレー回路（第２の供給制御手段）
１１４  メイン電源（主電源）
１１５、１１６、１１７、１１９、１２０、１２２、１２３、１２４  抵抗器
１１８  ＡＤコンバータ（検出部）
１２１  バッファ素子
１２５  タイマ
１３０  外部装置
【図１】
2015011220.tif 000003
【図２】
2015011220.tif 000004
【図３】
2015011220.tif 000005
【図４】
2015011220.tif 000006
【図５】
2015011220.tif 000007
【図６】
2015011220.tif 000008
【図７】
2015011220.tif 000009
【図８】
2015011220.tif 000010
【図９】
2015011220.tif 000011
【図１０】
2015011220.tif 000012
【図１１】
2015011220.tif 000013
【図１２】
2015011220.tif 000014